(57)【要約】【課題】本発明は、光治療装置に関するもので、操作性を向上することを目的とするものである。【解決手段】そして、この目的を達成するために本発明は、患部配置部６と、この患部配置部６に対向して設けた下、上気体注入体７、８とを備え、前記下、上気体注入体７、８の前記患部配置部６に対向する部分に、複数の発光素子９を設けた。患部配置部６は、例えば下ケース１と、この下ケース１上に開閉自在に設けた上ケース２との間に形成される空間により構成した。【選択図】図１
2011078472.tif 000002
【特許請求の範囲】
【請求項１】
患部配置部と、この患部配置部に対向して設けた気体注入体とを備え、前記気体注入体の前記患部配置部に対向する部分に、複数の発光素子を設けた光治療装置。
【請求項２】
患部配置部は、下ケースと、この下ケース上に開閉自在に設けた上ケースとの間に形成される空間により構成し、前記下ケース上面に下方気体注入体、前記上ケース下面に上方気体注入体を、それぞれ設け、前記下方気体注入体の上面と、前記上方気体注入体の下面には、それぞれ複数の発光素子を設けた請求項１に記載の光治療装置。
【請求項３】
下ケースと、上ケースの少なくとも一方には、患部配置部への患部挿入口を設けた請求項２に記載の光治療装置。
【請求項４】
下方気体注入体と、上方気体注入体に気体を注入するポンプを設け、このポンプから、下ケースと、上ケース間に換気用の送風を行う構成とした請求項２、または３に記載の光治療装置。
【請求項５】
下方気体注入体と、上方気体注入体の少なくとも一方の圧力が所定値を越えると、ポンプによる気体注入動作を停止する構成とした請求項４に記載の光治療装置。
【請求項６】
下方気体注入体と、上方気体注入体の少なくとも一方の圧力が所定値を越えると、ポンプによる気体注入動作を停止するとともに、このポンプから下ケースと、上ケース間への換気用の送風は継続させる構成とした請求項４に記載の光治療装置。
【請求項７】
下ケースと、上ケース間に、患部配置部への患部配置を検出する赤外線センサを設け、この赤外線センサによる患部配置検出後、発光素子を発光させる構成とした請求項２〜６のいずれか一つに記載の光治療装置。
【請求項８】
下ケースと、上ケース間に、患部配置部への患部配置を検出する赤外線センサを設け、赤外線センサによる患部配置検出後、発光素子を発光させるとともに、ポンプを駆動させる構成とした請求項４〜６のいずれか一つに記載の光治療装置。
【発明の詳細な説明】
【技術分野】
【０００１】
本発明は、光治療装置に関するものである。
【背景技術】
【０００２】
光治療装置は、患部に光を照射することにより、治療を行うものである。
光治療を行う患部は、一般的には、ワンポイントにはとどまらず、ある程度の広範囲に及ぶことが多い。そのため従来は、複数のプローブの先にそれぞれ発光素子を設け、その一つずつの、プローブを、独立して患部の近傍にまで移動させることにより、広範囲の患部に光を照射することが出来るようにしていた（例えば下記特許文献１）。
【先行技術文献】
【特許文献】
【０００３】
【特許文献１】特開昭６３−２１０６９号公報
【発明の概要】
【発明が解決しようとする課題】
【０００４】
上記従来例における課題は、操作が煩雑なものになる、と言うことであった。
すなわち、前記従来例によれば、複数のプローブの一つずつを、いちいち患部の状況に合わせて移動設定する必要があり、これは極めて煩雑な操作になり、患者が、自身で設定することは現実的には困難なものとなっている。
そこで、本発明は、操作性を向上することを目的とするものである。
【課題を解決するための手段】
【０００５】
そして、この目的を達成するために本発明は、患部配置部と、この患部配置部に対向して設けた気体注入体とを備え、前記気体注入体の前記患部配置部に対向する部分に、複数の発光素子を設け、これにより所期の目的を達成するものである。
【発明の効果】
【０００６】
以上のように本発明は、患部配置部と、この患部配置部に対向して設けた気体注入体とを備え、前記気体注入体の前記患部配置部に対向する部分に、複数の発光素子を設けたものであるので、極めて操作性の良いものとなる。すなわち、本発明によれば、患部配置部に患部を配置し、気体注入体に気体を注入するだけで、患部の形に合わせて気体注入体が膨張、変形し、これにより複数の発光素子が患部に沿うように当接することになる。つまり、気体注入体に気体を注入するだけで、患部の形態に合わせ、複数の発光素子を適切に配置することが出来るので、極めて操作性の良いものとなるのである。また、患部形態に合わせ、複数の発光素子を当接配置することが出来るので、治療効果を高めることも可能となる。
【図面の簡単な説明】
【０００７】
【図１】本発明の（実施の形態１）にかかる光治療装置の正面図
【図２】同側面図
【図３】同側面断面図
【図４】同側面断面図
【図５】同要部断面図
【図６】同制御ブロック図
【図７】同制御フローチャート
【発明を実施するための形態】
【０００８】
以下、本発明の一実施形態を、添付図面を用いて説明する。
【０００９】
（実施の形態１）
図１〜図３は本発明の（実施の形態１）を示し、１は円筒状で、上面が開口した下ケースであり、この下ケース１の上面には、下面が開口した上ケース２が、ヒンジ３により開閉自在に取り付けられている。また上ケース２のヒンジ３とは反対側に、開閉ボタン４が設けられており、この開閉ボタン４を押せば、上ケース２に設けたフック５が下ケース１から外れ、これにより上ケース２はヒンジ３側が下、フック５側が上になった状態で、下ケース１上に開放された状態となる。
【００１０】
また、この開放状態から、上ケース２のフック５側を下に押せば、フック５が下ケース１に係合し、これらの図１〜図３に示すごとく閉成状態となる。さらに、この上ケース２の閉成状態においては、図３に示すごとく下ケース１と、この下ケース１上に開閉自在に設けた上ケース２との間に形成される空間により患部配置部６が構成されている。また、患部配置部６に接する前記下ケース１上面には下方気体注入体７、患部配置部６に接する前記上ケース２下面には上方気体注入体８を、それぞれ設けている。これらの下方気体注入体７、上方気体注入体８は、ゴムや、軟質樹脂のような、柔らかく、しかも弾性を有する材料を袋状にすることにより構成されており、その患部配置部６に対向する側にはそれぞれＬＥＤなどの発光素子９が装着されている。
【００１１】
さらに、これらの下方気体注入体７、上方気体注入体８には、図６に示した気体（一例として空気）注入用のポンプ（図６の１０）が連結されており、このポンプ１０を駆動すれば、下方気体注入体７、上方気体注入体８に気体が注入され、図４、図５のごとく下方気体注入体７、上方気体注入体８が膨れることになる。
【００１２】
なお、前記ポンプ１０を利用して液体（一例として水）を下方気体注入体７、上方気体注入体８に注入させ、図４、図５のごとく下方気体注入体７、上方気体注入体８が膨れるようにしても良い。この時、下方気体注入体７、上方気体注入体８内にはそれぞれ、図５に示すように圧力センサ１１が臨まされ、圧力センサ１１により検出した下方気体注入体７、上方気体注入体８内部圧力が所定値を超えると、制御部１２によりポンプ１０の駆動を停止する。
【００１３】
再び図１〜図４に戻って説明を続けると、下ケース１と、上ケース２のヒンジ３とは反対側（正面側）には、患部配置部６への患部挿入口１３を設けており、さらにこの患部挿入口１３の奥側には遮光布１４が設けられ、さらにまたこの患部挿入口１３の手前側下には手首を支えるパッド１５が設けられている。一方上ケース２の上面には図１、図２のごとく表示部１６が設けられ、さらにこの表示部１６の下方には電源スイッチ１７、電源ランプ１８、照射ランプ１９、警告ランプ２０、手動加圧スイッチ２１、手動減圧スイッチ２２、ポンプ停止スイッチ２３が配置されている。また、これらの表示部１６、電源スイッチ１７、電源ランプ１８、照射ランプ１９、警告ランプ２０、手動加圧スイッチ２１、手動減圧スイッチ２２、ポンプ停止スイッチ２３は、図６のごとく制御部１２に接続されている。
【００１４】
制御部１２にはそれ以外に、患部配置部６への患部配置を検出する赤外線センサ２４と、発光素子９からの光照射時間を設定するタイマー２５と、警報音を発するブザー２６と、患部配置部６の換気風を送るポンプ２７が接続されている。また、以上の各部品は電源装置２８から電力供給が行われるような構成となっている。
【００１５】
以上の構成において、手の指間接部分の光治療を行うときの一例の操作について、図１〜図７を用いて説明する。先ず、図１の電源スイッチ１７をＯＮにし（図７のＳ１）、次に図３のごとく患部挿入口１３から患部配置部６に手２９を挿入する（図７のＳ２）。
患部配置部６に手２９が挿入配置されたことを赤外線センサ２４が検知すると、ポンプ１０を駆動し（図７のＳ３）、これにより下方気体注入体７、上方気体注入体８内に気体を押し込み、図４のごとく下方気体注入体７、上方気体注入体８を膨らませ、圧力センサ１１により検出した下方気体注入体７、上方気体注入体８内部圧力が所定値を超えると、制御部１２によりポンプ１０の駆動を停止する（図７のＳ４）。また、ポンプ１０が駆動停止されると、複数の発光素子９が通電され、光による治療が開始される（図７のＳ５）。
【００１６】
この時、下方気体注入体７、上方気体注入体８に設けた複数の発光素子９は図４のごとく手２９の表裏面に沿うように当接しており、この状態で発光素子９から手２９の表裏面に光が照射される。つまり、下方気体注入体７、上方気体注入体８に気体を注入するだけで、手２９（患部の一例）の形に合わせ、複数の発光素子９を適切に配置することが出来るので、極めて操作性の良いものとなるのである。
また、患部形態に合わせ、複数の発光素子９を当接配置することが出来るので、治療効果を高めることも可能となる。
【００１７】
また、ポンプ１０が駆動停止された状態において、手２９に痛みを感じる時には、手動減圧スイッチ２２を押し（図７のＳ６）、例えばポンプ１０を逆回転させ、下方気体注入体７、上方気体注入体８の圧力を低減させ、丁度良い時に、ポンプ停止スイッチ２３でポンプ１０を停止する（図７のＳ７）。また、下方気体注入体７、上方気体注入体８の圧力を低減させすぎたと感じた時には、手動加圧スイッチ２１を押し（図７のＳ８）、丁度良い時に、ポンプ停止スイッチ２３でポンプ１０を停止する（図７のＳ９）。
【００１８】
複数の発光素子９が通電され、光による治療が開始（図７のＳ５）されてからタイマー２５で設定された時間内は、複数の発光素子９からの光による治療が継続される（図７のＳ１０）。なお、タイマー２５の残り時間は表示部１６に表示されるようになっている。
この光治療期間において、手２９の表面温度は赤外線センサ２４で測定され（図７のＳ１１）、検出温度が４０度を超えると、警告ランプ２０の点滅と、ブザー２６からの音による警報が発せられる（図７のＳ１２）。タイマー２５で設定された時間が経過すると、ポンプ１０を逆回転させ（図７のＳ１３）、所定時間でポンプ１０が停止すると発光素子９の発光も停止し（図７のＳ１４）、終了となる（図７のＳ１５）。
【００１９】
この状態では、下方気体注入体７、上方気体注入体８は図３のごとく収縮しているので、手２９を患部挿入口１３から容易に抜き出すことが出来る。また、図４のごとく下方気体注入体７、上方気体注入体８が膨らんで、光治療を行っている時には、手２９の周りにはポンプ２７から喚起風が送られており、手２９の蒸れや、発光素子９の発熱を防止している。
【００２０】
なお、ポンプ２７による喚起機能は、ポンプ１０から下方気体注入体７、上方気体注入体８への気体供給経路を、弁（図示せず）で切り替えて、行うようにしても良い。
つまり、図４のごとく下方気体注入体７、上方気体注入体８が膨らんで、光治療を行っている時には、手２９の周りは狭空間であるので、通風抵抗が高くプロペラ式のファンでは十分な通気を行うことが出来ないが、ポンプ１０であれば十分な喚起風を送ることが出来る。なお、ポンプ１０から下方気体注入体７、上方気体注入体８に液体を注入する場合では、注入された液体により、発光素子９の発熱を防止し、ポンプ２７からの喚起風により、手２９の蒸れを防止することが出来る。なお、上記実施形態では手２９の光治療用としたが、足にも適用できる。
【産業上の利用可能性】
【００２１】
以上のように本発明は、患部配置部と、この患部配置部に対向して設けた気体注入体とを備え、前記気体注入体の前記患部配置部に対向する部分に、複数の発光素子を設けたものであるので、極めて操作性の良いものとなる。すなわち、本発明によれば、患部配置部に患部を配置し、気体注入体に気体を注入するだけで、患部の形態に合わせて気体注入体が膨張、変形し、これにより複数の発光素子が患部に沿うように当接することになる。つまり、気体注入体に気体を注入するだけで、患部の形に合わせ、複数の発光素子を適切に配置することが出来るので、極めて操作性の良いものとなるのである。また、患部形態に合わせ、複数の発光素子を当接配置することが出来るので、治療効果を高めることも可能となる。このため、光治治療器として、広く活用が期待される。
【符号の説明】
【００２２】
１    下ケース
２    上ケース
３    ヒンジ
４    開閉ボタン
５    フック
６    患部配置部
７    下方気体注入体
８    上方気体注入体
９    発光素子
１０，２７    ポンプ
１１    圧力センサ
１２    制御部
１３    患部挿入口
１４    遮光布
１５    パッド
１６    表示部
１７    電源スイッチ
１８    電源ランプ
１９    照射ランプ
２０    警告ランプ
２１    手動加圧スイッチ
２２    手動減圧スイッチ
２３    ポンプ停止スイッチ
２４    赤外線センサ
２５    タイマー
２６    ブザー
２８    電源装置
２９    手
【図１】
2011078472.tif 000003
【図２】
2011078472.tif 000004
【図３】
2011078472.tif 000005
【図４】
2011078472.tif 000006
【図５】
2011078472.tif 000007
【図６】
2011078472.tif 000008
【図７】
2011078472.tif 000009